(57)【要約】【課題】建物内に導入される外気を冷却する効果を発揮できるとともに、周辺環境よりも体感温度の低いクールスポットを形成することが可能であり、また、スペースが限られる戸建住宅等であっても導入しやすい外構部材及び外構部材の表面構造及び外構部材の表面形成方法を提供することである。【解決手段】外構構造物を構成する外構部材であって、表面に、疎水性を有する塗材層と、該塗材層の表面に配設された多孔質材によって形成される多孔質材層と、塗材層及び多孔質材の表面に親水性部が形成されていることを特徴とする外構部材及び外構部材の表面構造及び外構部材の表面形成方法である。【選択図】図１
2015129394.tif 000002
【特許請求の範囲】
【請求項１】
外構構造物を構成する外構部材であって、
表面に、疎水性を有する塗材層と、該塗材層の表面に配設された多孔質材によって形成される多孔質材層と、塗材層及び多孔質材の表面に親水性部が形成されていることを特徴とする外構部材。
【請求項２】
外構構造物を構成する外構部材であって、
表面に、疎水性を有する塗材層と、該塗材層の表面に密集して配設された多孔質材によって形成される多孔質材層と、多孔質材の表面に親水性部が形成されていることを特徴とする外構部材。
【請求項３】
外構構造物を構成する外構部材の表面に備えられ、疎水性を有する塗材層と、該塗材層の表面に配設された多孔質材によって形成される多孔質材層と、塗材層及び多孔質材の表面に塗付して形成された親水性部とから成ることを特徴とする外構部材の表面構造。
【請求項４】
外構構造物を構成する外構部材の表面に備えられ、疎水性を有する塗材層と、該塗材層の表面に密集して配設された多孔質材によって形成される多孔質材層と、多孔質材の表面に塗付して形成された親水性部とから成ることを特徴とする外構部材の表面構造。
【請求項５】
外構構造物を構成する外構部材の表面に、疎水性を有する塗材層を塗布し、該塗材層の表面に多孔質材を配設し、塗材層及び多孔質材の表面に親水性塗料を塗付することにより親水性部を形成することを特徴とする外構部材の表面形成方法。
【請求項６】
外構構造物を構成する外構部材の表面に、疎水性を有する塗材層を塗布し、該塗材層の表面に多孔質材を密集して配設し、塗材層及び多孔質材の表面に親水性塗料を塗付することにより親水性部を形成することを特徴とする外構部材の表面形成方法。
【発明の詳細な説明】
【技術分野】
【０００１】
本発明は、住宅等の建物の外回りに使われる建材である外構部材及び外構部材の表面構造及び外構部材の表面形成方法に関する。
【０００２】
従来、住宅等の建物には、庭やバルコニー等の外回りに、例えばフェンスや門、柵、手摺、ルーバー等の外構構造物が設けられる場合がある。これら外構構造物によれば、例えば敷地の内外を分け隔てたり、外部からの視線を遮ったり、建物と外部との境界で様々な機能を発揮することが出来る。
【０００３】
特許文献１に記載の外構構造物は、建物の開口部を遮蔽するルーバーであり、このルーバーを構成する建材（すなわち、外構部材）として、複数のフィンが用いられている。このようなルーバーによれば、複数のフィンによって外部からの遮蔽しつつ、複数のフィンの隙間から通風と採光を得ることが出来る。
【０００４】
また、建物の外壁の少なくとも一部を、通風路を備え、かつ保水性のある多孔質壁材によって構成する技術が知られている（特許文献２参照）。また多孔質壁材として、例えば煉瓦が用いられており、該煉瓦を上下左右に多数積み上げることによって外壁が構成されている。
【０００５】
特許文献２に記載の技術によれば、水の気化を利用して外壁全体を冷却し、さらに、通気路内に空気を通して、その空気を加湿すると同時に冷却することにより、室内に涼しい空気を供給することが出来る。
【先行技術文献】
【特許文献】
【０００６】
【特許文献１】特開２０００-１１０２３２号公報
【特許文献２】特開平０８−０４２０１３号公報
【発明の概要】
【発明が解決しようとする課題】
【０００７】
しかしながら、近年、省エネルギーや地球温暖化対策の観点から、空調機器や換気装置を用いずに、建物の各部屋の窓やドアを開放して自然換気を行うことによって建物内に快適な居住環境を形成したいという要望がある。また、夏場においては建物内に導入する外気が温暖であるため、さらに市街地においてはヒートアイランド化現象による気温上昇のため、自然換気による効果を得にくい場合がある。
【０００８】
また、従来のように煉瓦等の多孔質壁材を用いる場合、一定以上の奥行きを必要とする上、壁体として使用するためには煉瓦等の多孔質壁材を支えるための鉄筋が必要となる。さらには、給水量が多いことから大型の貯水タンクを必要とするなど、重量、体積ともに大きくなってしまう場合がある。このため、スペースが限られる戸建住宅等では、蒸発冷却効果のみを目的として、大きく重い部材を導入することは、空間利用上、課題となっている。
【０００９】
本発明が解決しようとする課題は、建物内に導入される外気を冷却する効果を発揮できるとともに、周辺環境よりも体感温度の低いクールスポットを形成することが可能であり、また、スペースが限られる戸建住宅等であっても導入しやすい外構部材及び外構部材の表面構造及び外構部材の表面形成方法を提供することにある。
【課題を解決するための手段】
【００１０】
請求項１記載の発明は、外構部材１（１Ａ）であって、例えば図１〜図７に示すように、外構構造物１０を構成しており、
表面に疎水性を有する塗材層３と、前記塗材層３の表面に、吸水性を有する多孔質材９が多数配設されたことによって形成された全体としての多孔質材層４と、塗材層３及び多孔質材９の表面に塗布された、図１においては微小で点状の親水性部８と、を備えることを特徴とする。
【００１１】
ここで、塗材層３は基材２の表面を連続して被覆しているが、多孔質材９によって形成される多孔質材層４は疎水性を有する塗材層３の表面において連続していても非連続であってもよい。また親水性部８は点状で非連続であっても、点状に吹付け等により塗付されたあと点状以外の形状となって塗材層３及び多孔質材９の表面において連続状となってもよい。特には本願で言う塗材層３及び多孔質材９の表面に塗付して形成された親水性部８とは、塗材層３及び多孔質材９の表面に吹付等の手段により塗付された部分が、隣接して塗付された部分と非連続のままあっても、接して連続した状態となっていてもよく、少なくとも多孔質材９の表面の一部が現れていればよい。なお、多孔質材層４が塗材層３の表面において密集して連続している場合は、結果として親水性部８は多孔質材９の表面にのみ形成されることがあるかもしれないが、一般的には密集状態で多孔質材９を塗材層３の表面に配設しても、ごく一部には隙間が生じ、該隙間では塗材層３が現れ、該塗材層３には親水性部８が形成される。ただし、本願発明においては、結果として親水性部８が多孔質材９の表面にのみ形成された場合を含んでいて、過且つ発明が請求項２に記載の発明である。
【００１２】
請求項１に記載の発明によれば、建物内に導入される外気を冷却する効果を発揮できると共に、周辺環境よりも体感温度の低いクールスポットを形成することが可能であり、またスペースが限られる戸建住宅等であっても導入しやすいという効果がある。すなわち、前記多孔質材９は多数の細孔を有するため、吸水性を有し、前記多孔質材層４に水が供給された場合に、この多孔質材層４に水を十分に含ませることが出来る。
【００１３】
また、塗材層３及び多孔質材９の表面には親水性部８が設けられているため、多孔質材９の多数の細孔には容易に水が導かれると共に、少量の水（例えば僅かな雨）であっても、該水が多孔質材９内に確実に取り込まれ、多孔質材９内に保持される。
【００１４】
また、基材２は疎水性を有する塗材層３が連続して被覆され、該塗材層の表面に親水性部８が形成されているため、多孔質材９が例え非連続に塗材層３に配設されていても１個の多孔質材９に許容量以上の水が供給された場合や、多孔質材９上以外の部分に水が供給されても、該水は親水性部８を介して塗材層３を容易に濡れ広がって隣の多孔質材９に達し、極めて容易に多孔質材層４全体に十分な水を含ませることが出来る。勿論多孔質材９が塗材層３の表面に密集して配設されている場合は、多孔質材９の表面に親水性部８が形成されているため、該親水性部８を介して隣接する多孔質材９に順次水が濡れ広がる。
【００１５】
このため、前記多孔質材層４に含まれた水の気化熱を利用して外構部材１（１Ａ）を冷却することができ、これに伴って周囲の気温を低下させることが出来る。このような外構部材１（１Ａ）によって前記外構構造物１０を構成すれば、前記外構構造物１０の周囲の空気を冷却する効果を発揮できるので、建物内の自然換気を行う際に、冷却された外気を建物内に導入できる。
【００１６】
したがって、たとえ夏場であっても、空調機器や換気装置を用いずに、建物内に快適な居住環境を形成することができ、ひいては省エネルギーや地球温暖化対策に貢献することが出来る。さらには、例えば従来のような煉瓦等の多孔質壁材に比して軽量であり、かつ形状の自由度が高い。このため広範囲にわたって用いることが可能であり、冷却対象空間における冷却面の形態係数を大きくとることが出来る。これによって、住宅等の建物の外回りに、体感温度が周辺環境よりも低くなるクールスポット（涼しい微気候空間）を形成できる。
【００１７】
このように外回りに涼しい環境を形成できれば人の滞在時間が長くなることが期待され、屋内から屋外に出て過ごす時間が増えることで空調機器の稼働時間を短縮し、結果的に、省エネルギーや地球温暖化対策に貢献することが可能となる。
【００１８】
また、外構部材１（１Ａ）は、前記塗材層３と、前記多孔質材層４と前記親水性部８とを備えてなるものであるため、該外構部材１（１Ａ）は、新規に製造した部材に限られるものではなく、既存の部材にも適用することが可能である。つまり、既存の外構部材１（１Ａ）であっても、この基材の外構部材１（１Ａ）に対して塗材層３と多孔質材層４と親水性部８を備えさせ、この多孔質材層４に水を含ませることで容易に冷却効果を得ることが出来る。
【００１９】
さらに、上記のように、前記多孔質材層４は、前記塗材層３の表面に吸水性を有する多孔質材が配設されてなるので、前記多孔質材層４に水を供給すれば、毛細管現象等により外構部材１（１Ａ）全体に対する水の拡散性が向上する。これによって、前記多孔質材層４を少量の水で効率よく濡らすことができるので、水の節約や省エネルギーに貢献することが出来る。
【００２０】
また、前記塗材層３は、該塗材層３が表面に設けられる基材２（２Ａ）と前記多孔質材層４との間に介在し、親水性部８によって全体として親水性に成っているので、例えば、基材２が疎水性であっても、上記のように多孔質材層４に容易に水を含ませることができ、冷却効果を発揮させることが出来る。
【００２１】
以上のように、外構部材１（１Ａ）の表面性状を本願請求項１記載の発明のように形成することにより保水性を発現させることが出来るので、基材２（２Ａ）自体の構造強度や耐久性は維持でき、また、前記多孔質材層４のみに水が含まれるので、凍結融解による基材２（２Ａ）の破損を防ぐことが出来る。
【００２２】
請求項３に記載の発明は、請求項１記載の上記発明である外構部材の表面構造に関するものであり、また請求項５に記載の発明は、請求項１記載の上記発明である外構部材の表面形成方法に関するものである。また請求項４に記載の発明は、請求項２に記載の上記発明である外構部材の表面構造に関する者であり、また請求項６に記載の発明は、請求項２に記載の上記発明である外構部材の表面形成方法に関する者である。したがって、これらの発明に係る外構部材は、上記同様の作用効果を有する。
【００２３】
請求項１又は請求項２に記載の外構部材で構成される外構構造物は、例えば図２〜図７に示すように、請求項１又は請求項２に記載の外構部材１（１Ａ）を複数並列してなる外構構造物１０であって、
互いに間隔をあけて配置される複数の支柱１１、１１と、
前記複数の支柱１１、１１間にわたって長尺に形成されており、前記複数の支柱１１、１１間に横方向に架設されるとともに、上下方向に互いに間隔をあけて並列配置される前記複数の外構部材１・・・（１Ａ・・・）と、を備えるように構成することが出来る。
【００２４】
該外構構造物１０は、前記複数の支柱１１、１１と前記複数の外構部材１・・・（１Ａ・・・）とによって、例えばフェンスや柵、ルーバー等の外構構造物１０を形成することが出来る。このような外構構造物１０によれば、該外構構造物１０の周囲の空気を全体的に冷却できるだけでなく、前記複数の外構部材１、１間の隙間（例えば隙間Ｓ）を通過する空気を冷却することが出来る。
【００２５】
また、前記複数の外構部材１・・・（１Ａ・・・）は、上下方向に互いに間隔をあけて並列配置されることにより、例えば前記複数の外構部材１・・・（１Ａ・・・）が間隔を空けずに並列配置された場合に比して、空気に接触する面を増やすことが出来るので、空気の冷却効果を高めることが出来る。
【００２６】
また、このような外構構造物１０を、建物の窓等の開口部前方や開口部周囲に配置すれば、外部からの視線を遮蔽しつつ、建物内に冷却された外気と採光とを同時に導入することが出来る。これによって、建物内の居住環境の快適性をより向上させることが可能となる。
【００２７】
また外構構造物１０は、図３、図４、図７に示すように、
前記各外構部材１・・・（１Ａ・・・）の上面部５を、前記複数の支柱１１、１１の高さ方向に対して一定の角度で傾斜して構成してもよい。
【００２８】
図３、図４、図７に示す外構構造物１０は、前記各外構部材１・・・（１Ａ・・・）の上面部５は、前記複数の支柱１１、１１の高さ方向に対して一定の角度で傾斜しているので、前記上面部５上の水を、傾斜方向上端部から下端部に向かって流すことができ、さらに、下方へと滴下させることが出来る。
【００２９】
つまり、前記複数の外構部材１・・・（１Ａ・・・）に対して水を供給する際は、最も上方に位置する前記外構部材１（１Ａ）に対して水を供給すれば、水を下方へ滴下させることが出来る。下方に滴下された水は、下方の前記外構部材１（１Ａ）に当たれば、この下方の外構部材１（１Ａ）に対しても水を供給でき、これによって下方の前記複数の外構部材１・・・」に対して順々に水を供給できることになるので、前記複数の外構部材１・・・（１Ａ・・・）に対して効率よく水を含ませることが出来る。
【００３０】
また外構構造物１０は、例えば図１、図３、図４、図７に示すように、
前記各外構部材１・・・（１Ａ・・・）を、前記上面部５と、
前記上面部５と一体形成されると共に、該上面部５の傾斜方向下端部からななめ下方に折り返される側面部６と、を有するように構成してもよい。
【００３１】
該外構構造物１０によれば、前記側面部６は、前記上面部５と一体形成されると共に該上面部５の傾斜方向下端部から斜め下方に折り返されているので、前記上面部５を流れる水を前記側面部６に伝わせて下方に流し、該側面部６の下端部から滴下させることが出来る。これによって、前記上方の外構部材１（１Ａ）の前記上面部５を流れる水を、より確実に前記下方の外構部材１（１Ａ）の前記上面部５へと滴下させることが出来る。
【００３２】
また外構構造物１０は、例えば図３、図４、図７に示すように、上記の外構構造物１０において、
前記複数の支柱１１、１１の上端部に取り付けられると共に、前記複数の外構部材１・・・（１Ａ・・・）のうち最も上方に位置する外構部材１（１Ａ）の上方に配置される天板１７をさらに備えており、
前記天板１７は、前記各外構部材１・・・（１Ａ・・・）の前記上面部５と略等しい角度で傾斜しており、傾斜方向下端部には、前記各外構部材１・・・（１Ａ・・・）の前記側面部６と略等しい角度で傾斜する折り返し部１７ａが一体形成されているように構成してもよい。
【００３３】
該外構構造物１０によれば、前記複数の支柱１１、１１の上端部に前記天板１７が取り付けられているので、この天板１７の下方に位置する前記最も上方に位置する外構部材１（１Ａ）が、雨や日射を直接受けにくくなる。これによって、天候等による前記複数の外構部材１・・・（１Ａ・・・）の劣化を抑制することが可能となる。
【００３４】
また、前記天板１７は、前記各外構部材１・・・（１Ａ・・・）の前記上面部５と略等しい角度で傾斜しており、傾斜方向下端部には、前記各外構部材１・・・（１Ａ・・・）の前記側面部６と略等しい角度で傾斜する折返し部１７ａが一体形成されているので、前記天板１７上の水を、傾斜方向上端部から下端部に向かって流すことが出来る。さらに、前記天板１７上からの水を前記折返し部１７ａに伝わせて下方に流し、該折返し部１７ａの下端部から前記最も上方に位置する外構部材１（１Ａ）に滴下させることが出来る。
【００３５】
したがって、例えば夏場の雨天時等においては、前記天板１７によって前記複数の外構部材１・・・（１Ａ・・・）の劣化を抑制しつつ、雨水による水の供給によって前記複数の外構部材１・・・（１Ａ・・・）に対して十分に水を含ませることが出来る。
【００３６】
また外構構造物１０は、例えば図２〜図４、図７に示すように、前記外構構造物１０において、
前記複数の外構部材１・・・（１Ａ・・・）に対して水を供給する供給手段１８をさらに備えており、
前記供給手段１８は、給水源１８ａと、前記給水源１８ａから前記複数の外構部材１・・・（１Ａ・・・）のうち最も上方に位置する外構部材１（１Ａ）よりも上方に配管される給水管（例えば支管１８ｃ）と、を有しており、
前記天板１７の直下には、前記給水管が収納される収納部１７ｃが設けられており、
前記収納部１７ｃは、下方に向かって開口する開口部１７ｄを備えるように構成することが出来る。
【００３７】
該外構構造物１０によれば、前記複数の外構部材１・・・（１Ａ・・・）に対して水を供給する前記供給手段１８を備えるので、前記複数の外構部材１・・・（１Ａ・・・）に容易かつ確実に水を含ませることができる。さらに、前記天板１７の直下に設けられた前記収納部１７ｃに前記給水管(例えば支管１８ｃ)を収納した状態で、前記開口部１７ｄから確実に水を滴下させることができる。つまり、前記給水管によって前記複数の外構部材１・・・（１Ａ・・・）に対して確実に水を供給しつつ、前記給水管によって周囲の景観性が損なわれることを防ぐことができる。
【発明の効果】
【００３８】
本発明によれば、建物内に導入される外気を冷却する効果を発揮できるとともに、周辺環境よりも体感温度の低いクールスポットを形成することが可能であり、さらに、スペースが限られる戸建住宅等であっても導入しやすいという効果がある。
【００３９】
また、外構部材は、塗材層と、多孔質材層と、親水性部を備えてなるものであるため、該外構部材は、新規に製造した部材に限られるものではなく、既存の部材にも適用することが出来るという効果がある。つまり、既存の外構部材であっても、この既存の外構部材に対して塗材層と多孔質材層と、親水性部とを備えさせ、この多孔質材層に水を含ませることで容易に冷却効果を得ることができる。
【図面の簡単な説明】
【００４０】
【図１】本発明に係る外構部材を示す斜視図である。
【図２】本発明に係る外構構造物が設置されたテラスを示す概略平面図である。
【図３】図２に示す外構構造物の側断面図である。
【図４】図３に示す外構構造物の上端部を示す拡大図である。
【図５】支柱の断面を示す断面図である。
【図６】支柱の他の断面を示す断面図である。
【図７】図３に示す外構構造物の上端部の他の例を示す拡大図である
【発明を実施するための形態】
【００４１】
以下、図面を参照して本発明の実施の形態について説明する。
図１において符号１は、外構部材を示す。なお、外構部材とは、主として住宅等の建物の外回りにある各種外構構造物等に使用される建材を指しているが、本願では建築物の外装材を含んでいる。また、これらの外構構造物としては、例えばフェンスや門扉、柵、手摺、ルーバー、垣根、塀、車庫、ガレージ、土間、アプローチ、アクセントウォール、パーゴラ、デッキ、舗装材、各種柱、物置等、様々なものが挙げられる。さらに、このような外構構造物としては、建物の庭等の敷地に設置されるものだけでなく、バルコニーの柵や手摺等も含んでいる。
【００４２】
本実施の形態の外構部材１は、以上のような外構構造物１０を構成するものであり、外構部材１は、疎水性を有する塗材層３と、該塗材層３の表面に配設された多孔質材９によって形成される多孔質材層４と、塗材層３及び多孔質材９の表面に塗付して形成された親水性部８とから成る表面、又は、疎水性を有する塗材層３と、該塗材層３の表面に密集して配設された多孔質材９によって形成される多孔質材層４と、多孔質材９の表面に塗付して形成された親水性部８とから成る表面、を備えている。
【００４３】
また、前記塗材層３は、前記外構部材１自体を構成する基材２の表面に設けられている。つまり、この基材２とは、前記塗材層３を設けるための支持体、または基盤としての役割を果たすものである。
【００４４】
したがって、この基材２が新規に製造されたものであるか、既存ものであるかについては何ら限定されるものではない。言い換えれば、本実施の形態の外構部材１は、新規に製造したものであってもよく、既存の基材２の表面に前記塗材層３と前記多孔質材層４と、前記親水性部８を設けたものであってもよい。すなわち、本実施の形態の外構部材１は、前記外構構造物１０の新設時にも利用でき、リフォーム時にも利用できる。
【００４５】
前記基材２は、本実施の形態においてはアルミニウム等の金属からなる長尺な押出成形品が採用されており、中空筒状に形成されるとともに、断面形状が平行四辺形に形成されている。なお、この基材２の種類としては、アルミニウム等の金属だけでなく、外構用の建材として市場に流通しているもの、既存の製品の全てを採用することができるとともに、その形状も限定されるものではない。すなわち、その他の金属製のものや木製のもの、樹脂製のもの、セラミック等、様々なものが挙げることができる。
【００４６】
また、塗材層３は、前記基材２と前記多孔質材層４との間に介在し、前記多孔質材９を前記基材２の表面に配設する接着剤としての作用を有している。
【００４７】
該塗材層３を構成する疎水性を有する塗材としては、ＪＩＳＡ  ６９０９に規定される合成樹脂エマルジョン系塗材であるところの、外装薄塗材Ｅ、可とう形外装薄塗材Ｅ、外装厚塗材Ｅであって乾燥後の塗材表面が疎水性であるものを使用することができるが、一般的な塗料であっても使用できる。疎水性の有無は、水平に保持した塗材表面に水を滴下した際、該水が濡れ広がらずに半球状に保持されル場合は疎水性であると判断する。
【００４８】
該塗材の合成樹脂エマルジョンは、アクリル酸エステル共重合系樹脂、酢酸ビニル樹脂、エチレン・酢酸ビニル系樹脂、酢酸ビニル・アクリル酸エステル系樹脂、エチレン・塩化ビニル系樹脂、シリコン変性アクリル系樹脂、ウレタン系樹脂等の樹脂エマルジョンが使用でき、成膜助剤無添加で、施工時温度以下の成膜温度を持つか、成膜助剤の添加により、塗布環境下で成膜条件を達成すれば良い。これらには架橋タイプ、粉末型のエマルジョン等であっても使用できる。このうちアクリル酸エステル共重合系樹脂等のアクリル樹脂系エマルジョンが塗材乾燥後の塗膜物性がよく、好ましい。成膜助剤としてはテキサノール等が挙げられる。
【００４９】
また、該疎水性を有する塗材には、充填材、骨材、着色顔料が配合されていても良い。なお、ここで言う充填材はその平均粒径が１００μｍ未満のものをいい、１００μｍ以上のものを骨材としている。この他にも充填材や着色顔料等を均一に分散させるための分散剤や、塗材中の巻き込み等による泡を消すための消泡剤や、防黴剤等が配合されていてもよい。
【００５０】
疎水性を有する塗材は、基材２の表面に塗布されるが、基材２との接着性を確保させることを目的としてシーラーを塗布し乾燥後に該疎水性の塗材を塗布しても良いし、シーラーが疎水性であればシーラーを疎水性を有する塗材として使用してもよい。疎水性を有する塗材を塗布した後は、該塗材表面が乾燥する前に前記多孔質材９を吹付け等により表面に押し付けるようにして配設する。
【００５１】
多孔質材９としては、粒状の無機質発泡ガラスが好ましく、該多孔質材は、粒径が４０００μｍ以下のものを使用することができ、好ましくは２８００μｍ以下であれば取扱いの点で良い。該粒状の無機質発泡ガラスは数μｍ〜数十μｍの多数の細孔を有していて、これらの細孔が水を吸水保持するために吸水性を有する。また、前記多数の細孔に入った水は、水の表面張力により細孔内に保持されることになり、これら細孔内に入った水や隣接する多孔質材間に溜まった水が蒸発し、この際に周囲の温度を下げることになる。
【００５２】
また、多孔質材９である粒状の無機質発泡ガラスの２４時間浸漬後の重量による吸水率は粒径が小さいほど高くなるため、本願発明において冷却効率が高めるためには粒径が小さいものが好ましい。市販の粒状の無機質発泡ガラスとしては、ライテックＧＬ−３（商品名、粒径１０００μｍ〜５００μｍ；６３．６重量％、吸水率（２４時間浸漬による重量％）５５．８％、かさ比重；０．４０、啓和炉材株式会社製）がある。
【００５３】
また、前記多孔質材は、前記塗材層３の表面に密集して設けられることもでき、隙間なく密集させれば吸水による水の保持量は当然ながら多くすることが出来る。
【００５４】
ここで、前記外構部材1の表面性状は、上述のように親水性部によって親水性であり、表面張力が大きいものが良い。具体的には、前記外構部材１表面に水を滴下した時の接触角θが９０度以下である必要がある。接触角θが９０度以下であれば、ウェンゼル理論により、表面を粗面化することによって部材のみかけの表面張力を高め、水の拡散性を向上することができる。そして、このような物性と意匠的な観点から、部材表面に０．１〜１ｍｍ程度の粒度の骨材を配設するとさらに水が濡れ広がりやすくなって本願発明が有する冷却効果が向上する。
【００５５】
ここでいう骨材は、ミクロレベルの細孔を有する多孔質材であり、その細孔に水が保持される素材であれば上記粒状の無機質発泡ガラスに限定されない。吸水率が１０％以上であると、灌水停止後も、細孔内にたまった水が蒸発し、蒸発冷却効果を任意の時間、維持することができる。また、空隙率によって吸水率が異なるため、蒸発冷却効果の持続時間の期待値によって任意の空隙率を持つ多孔質材を選定して塗材層に配設することで蒸発冷却効果を調整できる。
【００５６】
また多孔質材の細孔径は小さいほど毛細管力が大きく、また径が大きいほど毛細管力は小さいが、細孔に溜まった水が屋外環境下で適度に蒸発散を繰り返すためには、毛細管力の大きさから、細孔径が１〜１００μｍ程度の間で分布していることが望ましい。
【００５７】
また塗材層３の表面及び塗材層３に配設された多孔質材９の表面には親水性部８が設けられ、該親水性部８は、塗材層３及び多孔質材９の表面に親水性塗料を吹付けて塗布することによって形成することが出来る。吹付けて塗布する目的は、小さな多孔質材９の全体が被覆されて多孔質材９の吸水性が無くなることを避けるためであり、多孔質材９の表面に部分的に点状に親水性部８を設けるためである。吹付け以外の手段により、点状若しくは多孔質材９の表面の一部が現れている状態に親水性部を設けることができるのであれば、親水性塗料を塗付する手段は吹付けに限られない。
【００５８】
また親水性部は、長期にわたって該親水性を保持することが好ましく、該長期にわたって親水性を保持する親水性塗料としては光触媒塗料がある。親水性部が長期にわたって親水性を保持することにより、本願発明に係る冷却効果は結果として耐久性を有するものとなる。もちろん、親水性部８は、多孔質材９が表面に配設されていない塗材層３の上に形成されていても良い。
【００５９】
また光触媒塗料により親水性部８が形成される部位は基本的には塗材層３及び多孔質材９の表面であり、多孔質材９に上記無機質発泡ガラスを使用すれば、光触媒酸化チタンの有機質分解作用は該多孔質材には影響がなく、また無機質発泡ガラスが空気中の埃や排気ガス等の有機物質により汚れても、該光触媒の有機質分解作用により、表面は清浄に保持されるとともに親水性が保持される。光触媒塗料には、例えば特許第４１０７５１２号に示される光触媒酸化チタンからなる水系塗料があり、市販の該光触媒塗料には、クリーンマジック  トップコートＪＣ−５００ＴＰ（商品名、アイカ工業株式会社製、二酸化チタン−ペルオキソチタン酸水溶液、二酸化チタン０．８〜０．９重量％）がある。
【００６０】
以上のような本実施の形態の外構部材１によれば、建物内に導入される外気を冷却する効果を発揮できるとともに、周辺環境よりも体感温度の低いクールスポットを形成することが可能であり、さらに、スペースが限られる戸建住宅等であっても導入しやすい。すなわち、前記孔質材は多数の細孔があるため、表面張力が大きく、かつ吸水性を有するので、前記多孔質材層４に水が供給された場合に、この多孔質材層４に水を十分に含ませることができる。これによって、前記多孔質材層４に含まれた水の気化熱を利用して前記基材２を冷却することができ、これに伴って周囲の気温を低下させることができる。
【００６１】
このような外構部材１によって前記外構構造物１０を構成すれば、前記外構構造物１０の周囲の空気を冷却する効果を発揮できるので、建物内の自然換気を行う際に、冷却された外気を建物内に導入できることとなる。したがって、たとえ夏場であっても、空調機器や換気装置を用いずに、建物内に快適な居住環境を形成することができ、しいては省エネルギーや地球温暖化対策に貢献することが可能となる。
【００６２】
加えて、例えば従来のような煉瓦等の多孔質壁材に比して軽量であり、かつ形状の自由度が高い。このため広範囲にわたって用いることが可能であり、冷却対象空間における冷却面の形態係数を大きく取ることができる。これによって、住宅等の建物の外回りに、体感温度が周辺環境よりも低くなるクールスポット(涼しい微気候空間)を形成できる。
【００６３】
このように外回りに涼しい環境を形成できれば人の外回りでの滞在時間が長くなることが期待され、屋内から屋外に出て過ごす時間が増えることで空調機器の稼働時間を短縮し、結果的に、省エネルギーや地球温暖化対策に貢献することが可能となる。また、外構部材１の表面は、前記塗材層３と、前記多孔質材層４と、親水性部８と、を備えてなるものであるため、該外構部材１は、新規に製造した部材に限られるものではなく、既存の部材にも適用することが可能となる。つまり、既存の外構部材１であっても、この既存の外構部材１の表面に対して塗材層３と多孔質材層４と親水性部８を備えさせ、この多孔質材層４に水を含ませることで容易に冷却効果を得ることができる。
【００６４】
さらに、前記多孔質材層４は、前記塗材層３の表面に吸水性を有する多孔質材９が配設されているので、前記多孔質材層４に水を供給すれば、毛細管現象により水の拡散性を向上することができる。これによって、前記多孔質材層４を少量の水で効率良く濡らすことができるので、水の節約や省エネルギーに貢献できる。
【００６５】
また、このように水の拡散性が高いので、例えば前記外構部材１の前記多孔質材層４を鉛直面に配置した場合でも所謂“水みち”が出来にくい。“水みち”ができると、蒸発冷却面が限定的になり、冷却効果が低下することに加え、雨染みのように部分的に色が変わってしまうため、前記多孔質材層４の水の拡散性が高ければ、このような部分的な変色を防ぎ、景観性の低下を防ぐことができる。
【００６６】
また、前記塗材層３は、前記基材２と前記多孔質材層４との間に介在し、親水性部８によって親水性を有するので、例えば前記基材２が疎水性であったとしても、前記多孔質材層４に水を供給することができ、冷却効果を発揮させることができる。また、外構部材１の表面性状を変えるだけで保水性を向上できるので、前記基材２自体の構造強度や耐久性は維持されると共に、前記多孔質材層４だけに水が含まれるので、凍結融解による前記基材２の破損を防ぐことができる。
【００６７】
また、前記基材２として、外構用の建材や外装材として市場に流通しているもの、既存の製品の全てを採用することができるので、前記外構部材１の技術は、場所や用途を選ばず、多様な面に展開することができる。このため、前記外構部材１の技術を様々な場所や用途に適用すれば、冷却面積を広く取ることもできる。これにより、人が滞在する空間において冷却面の形態係数を高めることができるため、人の体感温度(作用温度)を下げることができる。なお、本実施の形態における冷却面もしくは蒸発冷却面とは、前記外構部材１のうち、前記多孔質材層４が露出する部分を指すものとし、前記多孔質材層４が設けられない部分、前記多孔質材層４が隠れる部分等は該当しないものとする。
【００６８】
次に、以上のような外構部材１を用いて構成される外構構造物１０について説明する。本実施の形態の外構構造物１０は、図２〜図４に示すように、外構部材１を複数並列してなるル一バーである。このルーバーであるところの外構構造物１０は、前記複数の外構部材１・・・と、互いに間隔をあけて配置される複数の支柱１１、１１と、複数のブラケット１６、１６と、天板１７と、水の供給手段１８と、を備える。なお、前記ルーバーであるところの外構構造物１０は、住宅等の建物のテラスＴに設けられている。また、建物の前記テラスＴに面する外壁には、出入り用の窓が設けられている。
【００６９】
前記複数の外構部材１・・・は、前記複数の支柱１１、１１間にわたって長尺に形成されており、その他の構成は、上述した図１の外構部材１と同様の設定となっている。また、これら複数の外構部材１・・・は、前記複数の支柱１１、１１間に横方向に、かつ水平に架設されるとともに、上下方向に互いに間隔をあけて並列配置される。すなわち、上下方向に隣り合う前記外構部材１、１間には隙間Ｓが形成されることになる。なお、前記複数の外構部材１・・・、同一の向き、同一の角度、横方向の位置も同一となるように前記複数の支柱１１、１１に架設されている。また、前記複数の外構部材１・・・は、前記複数の支柱１１、１１の側面のうち、前記テラスＴ中央側の側面に固定されている。
【００７０】
また、前記外構部材１は、前記複数の支柱１１、１１間に架設された状態において、上面部５と、側面部６，６ａと、下面部７と、を有する。前記外構部材１は、断面形状が平行四辺形状に形成されているため、前記上面部５と前記下面部７は互いに平行して配置されており、前記側面部６、６ａは斜めに、かつ互いに平行に配置されている。また、前記側面部６，６ａのうち、一方の側面部６は前記テラスＴ中央側に配置されており、他方の側面部６ａは前記支柱１１側に配置されている。また、前記外構部材１の長さ方向両端部の開口部には、図示しないキャップが設けられており、該開口部は閉塞されている。
【００７１】
また、前記複数の支柱１１、１１は、前記テラスＴの周縁部に、互いに間隔をあけて配置されている。より詳細には、前記テラスＴの一辺側に前記支柱１１が互いに間隔をあけて三本立設されており、前記一辺側に直交する他辺側には、互いに間隔をあけて立設された一対の前記支柱１１、１１が二組、合計四本設けられている。また、前記支柱１１は、支柱本体１２と、補強芯材１３と、ベースプレート１４と、ベースコンクリート１５と、を有する。
【００７２】
前記支柱本体１２は、前記テラスＴの床よりも上方に突出するとともに、前記複数の外構部材１・・・が固定される部分である。また、この支柱本体１２は、アルミニウム等の金属からなる長尺な押出成形品であり、中空筒状に形成されている。なお、前記支柱本体１２の内側面の四隅には、断面略Ｃ型に形成されたビス受け部１２ｃが一体形成されている。このビス受け部１２ｃは、前記支柱本体１２に対して上方または下方からねじ込まれるビス等を受け、保持することができる。また、前記支柱本体１２のうち、前記テラスＴ中央側の側面と直交する方向に配置された側面の一方には、図５および図６に示すように、この支柱本体１２の長さ方向に沿って、前記支柱本体１２の側方に向かって開口する溝部１２ａが形成されている。
【００７３】
また、前記溝部１２ａには、この溝部１２ａの開口部を閉塞するカバー１２ｂが着脱自在とされており、前記カバー１２ｂは、前記溝部１２ａの開口部を閉塞した状態で前記支柱本体１２の側面と面一となるように設定されている。なお、前記溝部１２ａおよび前記カバー１２ｂは互いに係合する爪部を備える。なお、前記支柱本体１２の前記テラスＴ側の側面は、複雑な凹凸形状とされている(図５、図６中の上方に位置する側面)。
【００７４】
前記補強芯材１３は、帯状の鋼板であり、前記支柱本体１２の中空部に挿入されるとともに前記支柱本体１２を補強するためのものである。なお、この補強芯材１３は、図示はしないが、後述するベースプレート１４から、上端部が、後述するベースコンクリート１５の上面よりも上方に位置する程度の長さに設定されている。すなわち、前記補強芯材１３の上端部が、ベースコンクリート１５の上面よりも上方に突出していれば、この補強芯材１３による前記支柱本体１２の補強効果を高めやすくなる。
【００７５】
また、前記補強芯材１３には、この補強芯材１３の長さ方向に沿って複数のボルト孔(図示せず)が形成されている。また、各ボルト孔には雌ネジが形成されている。前記支柱本体１２の前記溝部１２ａの底部には、前記補強芯材１３の複数のボルト孔に対応する位置にボルト挿通孔が形成されている。これによって、前記支柱本体１２と前記補強芯材１３は、図５に示すように、ボルト軸の外周面に雄ネジが形成された複数のボルト１３ａ・・・によって連結することができる。また、これら複数のボルト１３ａ・・・は前記カバー１２ｂによって遮蔽することができる。
【００７６】
前記ベースプレート１４は、前記補強芯材１３が一体的に固定されるとともに、テラス基礎Ｋ上に載置される鋼製の板状体である。前記ベースプレート１４には、前記テラス基礎Ｋから突出する二本のアンカーボルト１４ａ、１４ａが挿通されるボルト挿通孔が二つ形成されており、これら二つのボルト挿通孔に挿通された前記アンカーボルト１４ａ、１４ａのそれぞれには、ナット１４ｂ、１４ｂが螺合される。これによって、前記ベースプレート１４は前記テラス基礎Ｋに対して固定されることになる。
【００７７】
前記ベースコンクリート１５は、前記テラス基礎Ｋ上に構築されるコンクリートブロック体であり、前記支柱本体１２の下端部、前記補強芯材１３、前記ベースプレート１４、前記アンカーボルト１４ａ、１４ａおよび前記ナット１４ｂ、１４ｂが埋設されている。また、図示はしないが、前記テラスＴの床を構成する根太や床材等の床構成体は、前記ベースコンクリート１５上に設置されている。
【００７８】
前記複数のブラケット１６、１６は、図３および図４に示すように、前記複数の外構部材１・・・が取り付けられるとともに、これら複数の外構部材１・・・を支持するためのものであり、前記複数の支柱１１、１１の前記テラスＴ中央側の側面にそれぞれ固定されている。すなわち、前記複数の外構部材１・・・は、これら複数のブラケット１６、１６を介して前記複数の支柱１１、１１間に架設された状態となっている。
【００７９】
前記ブラケット１６は、厚さの薄い帯状の鋼板であり、前記支柱１１の長さ方向に沿って長尺に形成されるとともに、該支柱１１の長さ方向に凹凸を繰り返す波形状に形成されている。つまり、前記ブラケット１６は、鋼板を波形状に折り曲げて形成されている。そして、このブラケット１６は、波形状の凹部に該当する平板状体であり、かつ前記支柱１１に当接する複数の当接部１６ａ・・・と、波形状の凸部に該当し、かつ前記外構部材１が取り付けられる複数の支持部１６ｂ・・・と、を有する。
【００８０】
前記複数の当接部１６ａ・・・のうち、少なくとも複数の当接部１６ａ・・・は、前記支柱１１に対してビス固定されている。本実施の形態においては、一つ置きにビス固定されているが、前記ブラケット１６の取付強度を考慮し、最も上方に位置する当接部１６ａと、最も下方に位置する当接部１６ａは前記支柱１１にビス固定されているものとする。
【００８１】
前記複数の支持部１６ｂ・・・は、上方の前記当接部１６ａと下方の前記当接部１６ａとの間に設けられるとともに、側面視において略三角形状に形成されており、上側の傾斜面１６ｃと、下側の傾斜面１６ｄと、を備える。前記外構部材１、前記他方の側面部６ａが前記下側の傾斜面１６ｄに当接されており、これら他方の側面部６ａと下側の傾斜面１６ｄはリベット１６ｅによって連結固定されている。なお、これら他方の側面部６ａと下側の傾斜面１６ｄのそれぞれには、前記リベット１６ｅを挿通させるリベット孔が形成されているものとする。
【００８２】
また、前記下側の傾斜面１６ｄは、前記上側の傾斜面１６ｃよりも長尺に形成されており、略三角形状の前記支持部１６ｄの頂点が若干上方にずれた状態になっている。そして、前記下側の傾斜面１６ｄの角度は、前記他の側面部６ａに対応する角度に設定されている。
【００８３】
以上のような複数のブラケット１６、１６に架設される複数の外構部材１・・・は、前記上面部５が、前記複数の支柱１１、１１の高さ方向に対して一定の角度で傾斜した状態となっている。より詳細には、前記上面部５は、前記支柱１１側から前記テラスＴ中央側にかけて下がるように傾斜しており、本実施の形態においては、その傾斜角が２度に設定されている。
【００８４】
つまり、前記複数の外構部材１・・・の全てが、同一の角度で傾斜するようにして前記複数のブラケット１６、１６に取り付けられている。また、前記各下側の傾斜面１６ｄ・・・は、前記上面部５を一定の角度に傾斜できる角度に設定されている。したがって、前記上面部５上の水を、傾斜方向上端部から下端部に向かって流すことができ、さらに、下方へと滴下させることができる。つまり、前記複数の外構部材１・・・に対して水を供給する際は、最も上方に位置する前記外構部材１に対して水を供給すれば、水を下方への滴下させることができる。そして、下方に滴下された水が、下方の前記外構部材１に当たれば、この下方の外構部材１に対しても水を供給でき、これによって、下方の前記複数の外構部材１・・・に対して順々に水を供給できることになるので、前記複数の外構部材１・・・に対して効率良く水を含ませることができる。
【００８５】
さらに、前記複数のブラケット１６、１６に架設される複数の外構部材１・・・は、前記側面部６が、前記上面部５の傾斜方向下端部から斜め下方に折り返されたような状態となっている。つまり、前記側面部６は、前記上面部５の傾斜方向下端部から前記支柱１１側に折り返されて、側面視においてオーバーハングした状態となっている。したがって、前記上面部５を流れる水を前記側面部６に伝わせて下方に流し、該側面部６の下端部から滴下させることができる。これによって、前記上方の外構部材１の前記上面部５を流れる水を、より確実に前記下方の外構部材１の前記上面部５へと滴下させることができる。すなわち、前記上方の外構部材１の前記側面部６の下端部は、前記下方の外構部材１の前記上面部５のうち、より支柱１１側に寄せられた状態となっている。
【００８６】
前記天板１７は、図３および図４に示すように、前記複数の支柱１１、１１の上端部に取り付けられるとともに、前記複数の外構部材１・・・のうち最も上方に位置する外構部材１の上方に配置されている。また、この天板１７は、前記複数の外構部材１・・・と同様に、前記複数の支柱１１、１１の前記テラスＴ側の側面から前記テラスＴ中央側に突出している。つまり、前記天板１７は、前記複数の支柱１１、１１の上端部間に架設された状態となっており、前記ルーバーであるところの外構構造物１０にとって屋根のような機能を発揮することができる。
【００８７】
また、前記天板１７は、前記各外構部材１・・・の前記上面部５と略等しい角度で傾斜しており、傾斜方向下端部には、前記各外構部材１・・・の前記側面部６と略等しい角度で傾斜する折返し部１７ａが一体形成されている。
【００８８】
また、前記天板１７は、後述する給水源１８ａをメンテナンスする際に取り外しができるよう、ビスによって着脱可能となっている。すなわち、前記天板１７は、前記複数の支柱１１、１１の上端面に対してビス固定されている。この天板１７を固定するビスは、前記支柱１１の前記ビス受け部１２ｃに対してねじ込まれている。なお、前記天板１７は上述のように、前記各外構部材１・・・の前記上面部５と略等しい角度で傾斜しているので、前記複数の支柱１１、１１の上端面も、前記各外構部材１・・・の前記上面部５と略等しい角度で傾斜している。さらに、中空筒状体である前記支柱１１の長さ方向両端部は開口しているが、前記天板１７によって、この支柱１１の上端部の開口部を閉塞することができる。
【００８９】
以上のような天板１７によれば、前記天板１７の下方に位置する前記最も上方に位置する外構部材１が、雨や日射を直接受けにくくなる。これによって、天候等による前記複数の外構部材１・・・の劣化を抑制することが可能となる。また、前記天板１７は、前記各外構部材１・・・の前記上面部５と略等しい角度で傾斜しており、傾斜方向下端部には、前記各外構部材１・・・の前記側面部６と略等しい角度で傾斜する折返し部１７ａが一体形成されているので、前記天板１７上の水を、傾斜方向上端部から下端部に向かって流すことができる。さらに、前記天板１７上からの水を前記折返し部１７ａに伝わせて下方に流し、該折返し部１７ａの下端部から前記最も上方に位置する外構部材１に滴下させることができる。したがって、例えば夏場の雨天時等においては、前記天板１７によって前記複数の外構部材１・・・の劣化を抑制しつつ、雨水による水の供給によって前記複数の外構部材１・・・に対して十分に水を含ませることができる。
【００９０】
また、前記天板１７の下方には、この天板１７から間隔をあけて、かつ前記折返し部１７ａの下端部と略等しい高さ位置に、前記複数の支柱１１、１１間に架設固定される支持プレート１７ｂが設けられている。前記支持プレート１７ｂは側面視において略Ｌ字型に形成されており、鉛直面部が前記複数の支柱１１、１１に当接されるとともにビス固定されており、水平面部が前記複数の支柱１１、１１から前記テラスＴ中央側に向かって突出している。そして、この支持プレート１７ｂと前記天板１７と前記折返し部１７ａとで囲まれる空間が、後述する給水管の支管１８ｃが収納される収納部１７ｃとされている。つまり、前記天板１７の直下に収納部１７ｃが設けられた状態となっている。
【００９１】
また、前記収納部１７ｃは、下方に向かって開口する開口部１７ｄを備える。この開口部１７ｄは、前記折返し部１７ａの下端部と、前記支持プレート１７ｂの突出方向側端部との間に形成される隙間を指している。また、前記支持プレート１７ｂの水平面部は、例えばパンチングメタル等のように、該水平面部を厚さ方向に貫通する複数の孔を備えた構成としてもよい。
【００９２】
前記供給手段１８は、図２〜図４、図６に示すように、前記複数の外構部材１・・・に対して水を供給するためのものであり、給水源１８ａと、この給水源１８ａから供給される水を通す給水管と、を有する。
【００９３】
前記給水源１８ａは、前記給水管が接続される散水栓を収納した散水栓ボックスを指しており、この散水栓ボックスは前記テラスＴの床の下方に設置されている。なお、前記散水栓ボックス内には前記散水栓の他に、この散水栓の開閉を制御する制御装置が収納されているものとする。このような制御装置によれば、前記散水栓の開閉をタイマー制御したり、温湿度等の周囲の環境に基づいて制御したりすることができる。
【００９４】
前記給水管は、前記給水源１８ａに接続されるとともに前記テラスＴの床下に配管される本管１８ｂと、この本管１８ｂから分かれ、前記複数の外構部材１・・・のうち最も上方に位置する外構部材１よりも上方に配管される複数の支管１８ｃ、１８ｃと、を有する。
【００９５】
前記支管１８ｃは樹脂製のチューブであり、弾力性を有する。そして、前記複数の支管１８ｃ、１８ｃは、図６に示すように、前記支柱本体１２の前記溝部１２ａに収納されて、前記支柱１１に沿って上方に向かって配管されている。また、前記支柱本体１２の上端部もしくは前記カバー１２ｂには前記支管１８ｃを挿通できる挿通孔(図示せず)が形成されており、前記複数の支管１８ｃ、１８ｃは、この挿通孔を通って、前記溝部１２ａから前記天板１７直下の収納部１７ｃ内へと配管されている。
【００９６】
さらに、前記支管１８ｃのうち、前記収納部１７ｃに収納される部分には複数の孔が形成されており、これら複数の孔から水を排出できるように構成されている。
【００９７】
なお、図示はしないが、前記支管１８ｃを、前記溝部１２ａ内において前記ボルト１３ａが設けられた部分を通過させる際には、前記溝部１２ａと前記ボルト１３ａとの隙間の形状に合わせて弾性変形させることによって、前記ボルト１３ａの近傍を通過させるようにしてもよい。
【００９８】
以上のような供給手段１８および前記天板１７によれば、前記複数の外構部材１・・・に容易かつ確実に水を含ませることができる。さらに、前記天板１７の直下に設けられた前記収納部１７ｃに前記支管１８ｃを収納した状態で、前記開口部１７ｄから確実に水を滴下させることができる。つまり、前記支管１８ｃによって前記複数の外構部材１・・・に対して確実に水を供給しつつ、前記支管１８ｃによって周囲の景観性が損なわれることを防ぐことができる。
【００９９】
次に、前記供給手段１８から供給される水が、前記複数の外構部材１・・・に至るまでの流れ(過程)について説明する
【０１００】
前記給水源１８ａから供給された水は、図２〜図４、図６に示すように、前記本管１８ｂ内を流れるとともに前記複数の支管１８ｃ、１８ｃへと分かれて流れ、前記支柱１１に沿って上方へと昇っていく。前記支柱１１の上端部まで到達した水は、前記収納部１７ｃ内に収納された支管１８ｃを通過するとともに前記複数の孔から水を排出する。
【０１０１】
前記複数の孔から排出された水は、前記開口部１７ｄ(および前記支持プレート１７ｂの複数の孔)から下方へと落ち、前記複数の外構部材１・・・のうち最も上方に位置する外構部材１の前記上面部５へと落ちる。
【０１０２】
前記最も上方に位置する外構部材１の前記上面部５に落ちた水は、前記多孔質材層４の全体に拡散し、この多孔質材層４に十分に保水されることになる。前記支管１８ｃから順次供給される水は、前記最も上方に位置する外構部材１前記多孔質材層４の最大含水量よりも多く供給されるため、前記上面部５から前記側面部６へと伝わり、さらに下方へと流れていく。なお、前記外構部材１の下面部７の多孔質材層４にも水が含まれるが、この下面部７も前記上面部５と同じ傾斜角度に設定されているため、前記多孔質材層４の最大含水量よりも多く供給された分の水は、前記側面部６の下方に向かって流れるように設定されている。
【０１０３】
前記側面部６の下端部へと到達した水は、前記最も上方に位置する外構部材１から下方の前記外構部材１へと滴下される。以降、水は同じ経路を辿って前記複数の外構部材１・・・を順々に落ちていき、前記複数の外構部材１・・・のうち最も下方に位置する外構部材１へと到達する。そして、前記最も下方の外構部材１の前記側面部６の下端部に到達した水は、前記最も下方の外構部材１の下方に設けられる植栽帯に滴下されて浸透し、さらにその下方の排水ドレインより外部に排水される。ただし、供給水量は、予め設定した散水栓の開閉タイマーにより、必要最少量となるように調節しておく。
【０１０４】
以上のようにして、前記複数の外構部材１・・・に水を含ませることができる。そして、以上のような本実施の形態のルーバーであるところの外構構造物１０によれば、該外構構造物１０の周囲の空気を全体的に冷却できるだけでなく、前記複数の外構部材１、１間の隙間Ｓを通過する空気を冷却することができる。
【０１０５】
また、前記複数の外構部材１・・・は、上下方向に互いに間隔をあけて並列配置されることにより、例えば前記複数の外構部材１・・・が間隔をあけずに並列配置された場合に比して、空気に接触する面を増やすことができるので、空気の冷却効果を高めることができる。そして、このようなルーバーであるところの外構構造物１０を、建物の窓等の開口部前方や開口部周囲に配置すれば、外部からの視線を遮蔽しつつ、建物内に冷却された外気と採光とを同時に導入することができる。これによって、建物内の居住環境の快適性を向上することが可能となる。
【０１０６】
なお、本実施の形態においては外構構造物として前記ルーバーであるところの外構構造物１０を採用したが、これに限られるものではなく、フェンスや門扉、柵、手摺、縦型ルーバー、垣根、塀、車庫、ガレージ、土間、アプローチ、アクセントウォール、パーゴラ、デッキ、舗装材、各種柱、物置等、その他の外構構造物、及び外装材であってもよいことは言うまでもない。
【０１０７】
また、本実施の形態においては外構部材１として断面形状が平行四辺形に形成されたものを採用したが、これに限られるものではない。例えば図７に示すように、断面形状が台形状に形成された基材２Ａを備える外構部材１Ａを採用してもよいし、その他の形状の外構部材を採用してもよい。なお、前記外構部材１Ａによってルーバー１０Ａを構成する際には、この外構部材１Ａの形状に対応した複数のブラケット１６０、１６０が用いられることになる。このようなブラケット１６０も、前記支柱１１に当接固定される当接部１６０ａと、前記外構部材１Ａがリベット１６０ｃによって取り付けられる支持部１６０ｂとを有しているが、この支持部１６０ｂは、前記外構部材１Ａの形状に合わせて鉛直面とされている。
【符号の説明】
【０１０８】
１  外構部材
２  基材
３  塗材層
４  多孔質材層
５  上面部
６  側面部
７  下面部
８  親水性部
９  多孔質材
１０  外構構造物
１１  支柱
１６  ブラケット
１７  天板
１８  供給手段
Ｓ  隙間
Ｔ  テラス
【図１】
2015129394.tif 000003
【図２】
2015129394.tif 000004
【図３】
2015129394.tif 000005
【図４】
2015129394.tif 000006
【図５】
2015129394.tif 000007
【図６】
2015129394.tif 000008
【図７】
2015129394.tif 000009